(57)【要約】【課題】  実施の形態は、新たな常用点灯用光源のラインナップ分の開発工数が増えるおそれがなく、在庫が増大することを防止できる非常灯組み込み形照明器具を提供することが課題である。【解決手段】  常用の第１の照明器具と、非常用の第２の照明器具と、共通の器具本体とを具備する。前記常用の第１の照明器具は、長尺状の常用点灯用光源と、常用電源ユニットと、反射板とを有する常用点灯用の構成部品を備える。前記非常用の第２の照明器具は、非常用点灯用の非常用光源と、非常用点灯ユニットと、カバー部材とを有する非常用点灯用の構成部品を備える。前記共通の器具本体は、前記第１の照明器具と前記第２の照明器具とを前記常用点灯用光源の長手方向と直交する方向に横並び状態で隣接配置する。【選択図】図１
2020074345.tif 000002
【特許請求の範囲】
【請求項１】
長尺状の常用点灯用光源と、常用電源ユニットとを有する常用の第１の照明器具と；
露出部分の長手方向の寸法が前記第１の照明器具の長手方向の寸法よりも短い非常用点灯用の非常用光源と、非常用点灯ユニットと、非常用電源とを有する非常用の第２の照明器具と；
前記常用点灯用光源を中央に配置するとともに、前記第１の照明器具と前記第２の照明器具とを前記常用点灯用光源の長手方向と直交する方向に横並び状態で隣接配置する共通の器具本体と；
を備え、
前記非常用点灯ユニットと前記蓄電池とが前記常用点灯用光源の長手方向に沿って配置されることを特徴とする照明装置。
【請求項２】
さらに、前記第２の照明器具は点検スイッチを有し、
前記点検スイッチと前記非常用光源は前記常用点灯用光源の長手方向に沿って配置されることを特徴とする請求項１に記載の照明装置。
【発明の詳細な説明】
【技術分野】
【０００１】
本発明の実施形態は、非常灯組み込み形の照明装置に関する。
【背景技術】
【０００２】
例えば住宅や、商業施設、工場等の天井面に直接取り付けられる従来の照明装置の一例として、常用点灯用光源を有する照明装置の器具本体内に非常灯を組み込んだ非常灯組み込み形の照明装置が開発されている。この非常灯組み込み形の照明装置は、通常時は商用電源のような外部電源の電力を用いて光源を点灯させ、外部電源からの給電が停止した非常時には、内蔵した蓄電池の電力を用いて光源を点灯させる構成になっている。
【先行技術文献】
【特許文献】
【０００３】
【特許文献１】特開２０１３−１２７９１７号公報
【発明の概要】
【発明が解決しようとする課題】
【０００４】
天井面に形成された装着用の凹部（埋め込み穴）に埋め込み状態で装着される埋め込み形の照明装置（埋め込み器具）は、リニューアル施工をする場合に、埋め込み穴の寸法は、標準器具と同じであることが望ましい。そのため、従来の組み込み形の非常灯器具では、標準器具と埋め込み穴の寸法を同じにするために、常用光源部の全長を標準器具に対し短くし、空いたスペースに非常用点灯用の構成部品を組み込む構成としていた。
【０００５】
上記従来構造の非常灯組み込み形の照明装置の場合、標準器具と異なる寸法形状の常用点灯用光源の機種を新たにラインナップしなければならない。このため、新たな常用点灯用光源のラインナップ分の開発工数が増えるとともに、在庫が増大する等の課題がある。
【課題を解決するための手段】
【０００６】
実施形態の照明装置によれば、常用の第１の照明器具と、非常用の第２の照明器具と、共通の器具本体とを具備する。前記常用の第１の照明器具は、長尺状の常用点灯用光源と、常用電源ユニットとを有する。前記非常用の第２の照明器具は、露出部分の長手方向の寸法が前記第１の照明器具の長手方向の寸法よりも短い非常用点灯用の非常用光源と、非常用点灯ユニットと、非常用電源とを有する。前記共通の器具本体は、前記常用点灯用光源を中央に配置するとともに前記第１の照明器具と前記第２の照明器具とを前記常用点灯用光源の長手方向と直交する方向に横並び状態で隣接配置する。さらに、第２の照明器具は前記非常用点灯ユニットと前記蓄電池とは前記常用点灯用光源の長手方向に沿って配置される。
【発明の効果】
【０００７】
本発明によれば、器具本体内のスペースを有効利用できることが期待できる。
【図面の簡単な説明】
【０００８】
【図１】図１は、第１の実施形態の非常灯組み込み形の照明装置の全体の外観を示す斜視図である。
【図２】図２は、第１の実施形態の照明装置の裏面側を示す斜視図である。
【図３】図３は、第１の実施形態の照明装置の器具本体の内部構造を示す横断面図である。
【図４】図４は、第１の実施形態の照明装置における第２の照明器具の取付け状態を示す要部の斜視図である。
【図５】図５は、第１の実施形態の照明装置の器具本体から第２の照明器具を取り外した状態を説明するための斜視図である。
【図６】図６は、第１の実施形態の照明装置の器具本体から第１の照明器具のＬＥＤバーと第２の照明器具の化粧枠を取り外した状態を説明するための斜視図である。
【図７】図７は、図６の第２の照明器具から非常用電源を取り外した状態を説明するための斜視図である。
【図８】図８は、第１の実施形態の照明装置の第２の照明器具の分解斜視図である。
【図９】図９は、第１の実施形態の照明装置における第２の照明器具の内部構造を示す縦断面図である。
【図１０】図１０は、第１の実施形態の照明装置における非常用点灯ユニットの電源ユニット基板の取り外し状態を示す要部の斜視図である。
【図１１】図１１は、第１の実施形態の照明装置における第２の照明器具の電源ユニット基板の概略構成を示す平面図である。
【発明を実施するための形態】
【０００９】
図１乃至図１１は、第１の実施の形態を示す。図１は、例えば住宅や、商業施設、工場等の天井面に直接取り付けられる第１の実施の形態の非常灯組み込み形の照明装置１００の全体の外観を示す斜視図である。図２は、照明装置１００の裏面側を示す斜視図である。
【００１０】
本実施形態の照明装置１００は、図示しない天井面に形成された装着用の凹部に埋め込み状態で装着される埋め込み形の照明器具である。この照明装置１００は、常用の第１の照明器具１と、非常用の第２の照明器具２と、を具備する。
【００１１】
本実施形態の照明装置１００の第１の照明器具１は、図１に示すように、長尺状の常用点灯用光源としての直管形のＬＥＤバー３と、ＬＥＤバー３を保持する器具本体４とを備える。さらに、第１の照明器具１は、通常時にＬＥＤバー３を点灯させる図示しない常用電源ユニットと、常用電源ユニットを外部電源に接続する図示しない電源端子台と、反射板４ａとを有する常用点灯用の構成部品を備える。ＬＥＤバー３は、複数種類の機種が予め準備されており、適宜選択的に使用可能になっている。
【００１２】
第１の照明器具１の器具本体４は、図１に示すように、常用点灯用の構成部品を収容する埋め込みシャーシであるケース部材５を有する。このケース部材５は、対向配置された一対の端板５ａ、５ｂを有し、さらにこれらの端板５ａ、５ｂ間に配置された一対の傾斜板５ｃ、５ｄと、図２に示すように断面形状がほぼＵ字状のチャンネル部材５ｅ（図３参照）とを有する。チャンネル部材５ｅは、図３に示すように底板５ｅ１と、この底板５ｅ１の両端に連接された一対の側板５ｅ２、５ｅ３とを有する。各側板５ｅ２、５ｅ３の図３中で下端部には、傾斜板５ｃ、５ｄの各上端部がそれぞれ連結されている。これら一対の傾斜板５ｃ、５ｄと、チャンネル部材５ｅとは金属製板部材を用いて一体に成形されている。
【００１３】
本実施形態では、器具本体４は、図３中で下方を開放している。そして、一対の傾斜板
５ｃ、５ｄは、反射板４ａとして機能する。一対の傾斜板５ｃ、５ｄ間のチャンネル部材５ｅは、内部空間に常用点灯用の構成部品を収容する収容部を形成している。このチャンネル部材５ｅの内部空間には、常用電源ユニットと、電源端子台などの常用点灯用の構成部品を収容している。このチャンネル部材５ｅの両端部には、ＬＥＤバー３を取り付ける図示しないソケットがそれぞれ配置されている。これらのソケットにはＬＥＤバー３の両端の口金部がそれぞれ着脱可能に結合されている。これにより、チャンネル部材５ｅの下面の開口部にＬＥＤバー３が着脱可能に装着され、このチャンネル部材５ｅの下面の開口部に常用点灯用光源の装着部５ｆが形成されている。
【００１４】
また、ソケットからＬＥＤバー３に電力が供給され、常用電源ユニットを介して通常時にＬＥＤバー３を点灯させる。器具本体４も複数種類の機種が予め準備されており、適宜選択的に使用可能になっている。ＬＥＤバー３と器具本体４との組み合わせも任意に選択可能になっている。
【００１５】
第１の照明器具１の器具本体４には、一方の傾斜板５ｄの一方の端板５ｂ側の端部に、非常用の第２の照明器具２をＬＥＤバー３の長手方向と直交する方向に横並び状態で隣接配置している。本実施形態では、器具本体４の反射板４ａの一方の傾斜板５ｄに長方形状の切欠き部分６を設け、この切欠き部分６に第２の照明器具２を装着している。
【００１６】
図３は、器具本体４の内部構造を示す横断面図、図４は、第２の照明器具２の取付け状態を示す要部の斜視図、図５は、器具本体４から第２の照明器具２を取り外した状態を説明するための斜視図である。なお、図３は、本実施形態の照明装置１００を天井面に取り付けた状態を示している。また、図８は、第２の照明器具２の分解斜視図である。
【００１７】
第２の照明器具２は、ＬＥＤ非常灯（非常用点灯用の非常用光源）７と、ＬＥＤ非常灯７を保持する非常灯器具本体８とを備える。ＬＥＤ非常灯７は、図８に示すように多数のＬＥＤチップを基板に直接実装した構造のチップオンボードであるＣＯＢ基板９と、レンズ１０と、パッキンと、レンズ固定金具１２とを備える。
【００１８】
非常灯器具本体８は、非常用電源の一例である蓄電池１３と、非常用点灯ユニット１４とを有する非常用点灯用の構成部品を備える。非常用点灯ユニット１４は、図８に示すようにシャーシ１５と、ユニット樹脂ケース１６と、ユニット基板１７と、サブ基板１８と、光源放熱板を兼ねる電池収納用板金部品１９と、を具備する。サブ基板１８は、例えば赤・緑モニターや、点検ＳＷリモコン受光部の実装基板である。
【００１９】
シャーシ１５は、図８中で下面に配置される底板１５ａと、この底板１５ａの図８中で前端側に配置される前端板１５ｂと、後端側に配置される後端板１５ｃとを有する。シャーシ１５の前端板１５ｂの上端部には、内側に向けて直角に折り曲げた折り曲げ部１５ｂ１が形成されている。この折り曲げ部１５ｂ１には、ねじ穴１５ｂ２が形成されている。シャーシ１５の後端板１５ｃの上端部には、内側に向けて直角に折り曲げた幅広の折り曲げ部１５ｃ１が形成されている。この折り曲げ部１５ｃ１には、２つのねじ穴１５ｃ２と、電池収納用板金部品１９との位置決め用の角穴１５ｃ３とが形成されている。
【００２０】
ユニット樹脂ケース１６は、シャーシ１５上に配置される。このユニット樹脂ケース１６は、上面側に蓄電池１３を保持する電池受部１６ａと、電池受部１６ａよりも高さが高く立設された立設部１６ｂとを有する。図９に示すように電池受部１６ａと、立設部１６ｂとの間の境界部分には、電池受部１６ａの上に装着される蓄電池１３の角部の形状に合わせた湾曲面１６ａ１が形成されている。電池受部１６ａの下方にはシャーシ１５の底板１５ａとの間に適宜のスペースＳが形成されている。このスペースＳには、ユニット基板１７の前端部分が挿入状態で装着されている。立設部１６ｂの上部には、サブ基板１８を
保持する基板保持部１６ｃが形成されている。
【００２１】
図９に示すようにユニット樹脂ケース１６の下部には、ユニット基板１７が装着されている。このユニット樹脂ケース１６の立設部１６ｂの基板保持部１６ｃには、サブ基板１８が装着されている。
【００２２】
ユニット基板１７は、図１１に示すように矩形状の基板本体１７ａの一端側の両側を切欠させた切欠部１７ｂ１、１７ｂ２を有する幅狭部分１７ｂと、基板本体１７ａの両側の切欠部１７ｂ１、１７ｂ２が形成されていない幅広部分１７ｃとを含むＴ字状の基板形状を有する。基板本体１７ａは、幅広部分１７ｃの一側部に入力側の１次側回路２０ａを配置し、幅広部分１７ｃの他側部に出力側の２次側回路２０ｂを配置している。さらに、基板本体１７ａには、幅広部分１７ｃにおける１次側回路２０ａを配置した側の切欠部１７ｂ１との対向部に、１次側回路２０ａに接続させた第１コネクタ２１ａを配設している。
【００２３】
この第１コネクタ２１ａには、入力側のＡＣ電源に接続される１次側配線を接続している。また、幅広部分１７ｃにおける２次側回路２０ｂを配置した側の切欠部１７ｂ２との対向部に、２次側回路２０ｂに接続させた第２コネクタ２１ｂを配設している。この第２コネクタ２１ｂには、２次側回路２０ｂ側の充電回路や、非常灯点灯回路などに接続される２次側配線を配置している。
【００２４】
さらに、ユニット基板１７には、幅広部分１７ｃの１次側回路２０ａと２次側回路２０ｂとの間にトランス回路２０ｃを配置している。幅狭部分１７ｂには、非常用点灯ユニット１４を制御する制御回路２０ｄを配置した。
【００２５】
図９に示すようにシャーシ１５の底板１５ａと、ユニット樹脂ケース１６の電池受部１６ａとの間には、ユニット基板１７に接続される配線を収容する左右一対の配線収容部２２ａ、２２ｂ（図１０参照）が形成されている。一方の配線収容部２２ａには、第１コネクタ２１ａに接続される１次側配線２３ａが収容されている。他方の配線収容部２２ｂには、第２コネクタ２１ｂに接続される２次側配線２３ｂが収容されている。
【００２６】
電池収納用板金部品１９は、シャーシ１５の前端板１５ｂおよび後端板１５ｃの上端部にそれぞれねじ止め固定される。この電池収納用板金部品１９の上には、ＬＥＤ非常灯７のＣＯＢ基板９が熱伝導性の高いグリースを介して装着される。さらに、ＣＯＢ基板９の上にレンズ１０と、パッキンと、レンズ固定金具１２とが順次積層された状態で、ねじによってレンズ固定金具１２が電池収納用板金部品１９とともにシャーシ１５に共締め固定される。これにより、ＬＥＤ非常灯７の光源ユニット全体が一体的に組み付けられる。
【００２７】
さらに、電池収納用板金部品１９の板面には、下向きに３つのガイド片２５が形成されている。このガイド片２５は、電池収納用板金部品１９の板面に形成されたＵ字状の切り込み部分を下向きに切り起こして形成されている。１つのガイド片２５は、シャーシ１５の一方の側板１５ｃの上端部の角穴１５ｃ３に挿入され、電池収納用板金部品１９とシャーシ１５との位置決め用に使用される。
【００２８】
電池収納用板金部品１９とユニット樹脂ケース１６の電池受部１６ａとの間には蓄電池１３を収納する電池収納部３１が形成されている。蓄電池１３は、後述するとおりこの電池収納部３１に第１の照明器具１のチャンネル部材５ｅの下面の開口部側から挿入される。このとき、電池収納用板金部品１９のガイド片２５によって蓄電池１３がガイドされ、蓄電池１３が電池収納用板金部品１９の固定ねじに当たることが防止されている。そして、ＬＥＤ非常灯７の光源ユニットから発生する熱や、蓄電池１３の熱を電池収納用板金部品１９によって効率よく放熱することができる。
【００２９】
さらに、第２の照明器具２は、非常用点灯用の構成部品を保持する保持金具４１と、化粧枠（カバー部材）４２とを有する。保持金具４１は、矩形平板状の底板４１ａと、この底板４１ａの両側に立設された２つの側板４１ｂ、４１ｃと、底板４１ａの図８中で背面に立設された２つの背面板４１ｄ、４１ｅとを有する。２つの側板４１ｂ、４１ｃの図８中で前面には、第１の照明器具１の一方の傾斜板５ｄの傾斜に合わせた傾斜の切欠部４１ｂ１、４１ｃ１が形成されている。底板４１ａの前端部には、１つの舌片４１ｆが前向きに突設されている。
【００３０】
２つの側板４１ｂ、４１ｃの上端部には、それぞれ内側に直角に折り返した折曲部４１ｂ３、４１ｃ３が形成されている。同様に、２つの側板４１ｂ、４１ｃの切欠部４１ｂ１、４１ｃ１の上縁部には、それぞれ内側に直角に折り返した折曲部４１ｂ３、４１ｃ３が形成されている。さらに、２つの背面板４１ｄ、４１ｅの上端部には、それぞれ外側に直角に折り返した折曲部４１ｄ１、４１ｅ１が形成されている。これらの折曲部４１ｄ１、４１ｅ１と、２つの背面板４１ｄ、４１ｅの上端部との接合部には、角穴４１ｄ２、４１ｅ２がそれぞれ形成されている。そして、第２の照明器具２の非常用点灯用の構成部品は、保持金具４１の上に収容される状態で組み付けられている。このとき、シャーシ１５は、後端板１５ｃが２つの背面板４１ｄ、４１ｅ側に配置され、前端板１５ｂが保持金具４１の前面開口部側に配置される状態で組み付けられている。これにより、図７に示すように保持金具４１の前面開口部側に蓄電池１３の出し入れ口４３が形成されている。
【００３１】
化粧枠４２は、平板状の天板４２ａと、この天板４２ａの図８中で前端を斜めに屈曲させた傾斜板４２ｂとを有する。天板４２ａには、ＬＥＤ非常灯７のレンズ１０を配置する円孔４２ａ１と、この円孔４２ａ１の横に配置された長孔４２ａ２とが形成されている。さらに、天板４２ａの図８中で背面側の端縁部には、保持金具４１の角穴４１ｄ２、４１ｅ２とそれぞれ対応する位置に係合凸部４２ｃ１、４２ｃ２がそれぞれ形成されている。天板４２ａの長孔４２ａ２は、サブ基板１８の上に配置された点検ＳＷ４５と対応する位置に配置されている。
【００３２】
傾斜板４２ｂは、第１の照明器具１の一方の傾斜板５ｄの傾斜に合わせた傾斜角度で形成されている。この傾斜板４２ｂの図８中で下端部には、保持金具４１の舌片４１ｆと対応する位置に舌片４２ｂ１が形成されている。
【００３３】
そして、化粧枠４２は、係合凸部４２ｃ１、４２ｃ２がそれぞれ保持金具４１の角穴４１ｄ２、４１ｅ２に挿入された状態で、傾斜板４２ｂの舌片４２ｂ１が保持金具４１の舌片４１ｆと接合された状態でねじ止め固定されている。そして、化粧枠４２は、係合凸部４２ｃ１、４２ｃ２と、保持金具４１の角穴４１ｄ２、４１ｅ２との係合部を回動中心として保持金具４１に対して回動可能に支持されている。これにより、例えば蓄電池１３の出し入れ時などの作業時に必要に応じて化粧枠４２を開閉して蓄電池１３の出し入れ時などの作業を行うことができる。この化粧枠４２を開閉操作時には、点検ＳＷ４５が長孔４２ａ２に沿って移動することで、点検ＳＷ４５が化粧枠４２に引っかかることを防止できる。
【００３４】
また、第２の照明器具２は、図５に示すように裏面側（保持金具４１の底板４１ａの外面側）が第１の照明器具１の反射板４ａに対し略Ｃ字形状の補強部材４４を介して取り付けられている。補強部材４４は、長板部材４４ａと、この長板部材４４ａの長手方向の両端にそれぞれ固定されるＬ字状の屈曲部材４４ｂ、４４ｃとを有する。図３に示すように長板部材４４ａは、チャンネル部材５ｅの底板５ｅ１に固定されている。一方の屈曲部材４４ｂの末端部は、一方の傾斜板５ｃの端縁部、他方の屈曲部材４４ｃの末端部は、他方の傾斜板５ｄの端縁部にそれぞれ固定されている。
【００３５】
また、第２の照明器具２は、器具本体４の反射板４ａの切欠き部分６に装着した状態で、図３に示すように器具本体４の一部が切欠き部分６から反射板４ａの下方に突出される状態で設置されている。そして、第２の照明器具２の器具本体４の大部分は、第１の照明器具１の反射板４ａの裏側に埋設された状態で配置されている。そのため、第２の照明器具２の非常点灯用の構成部品は、第１の照明器具１の器具本体４を天井面に埋め込み状態で施工した際に天井面より奥まった位置に配置されている。これにより、天井面から非常用の第２の照明器具２の構成部品が突出している場合のように照明装置１００を施工した空間において非常用の第２の照明器具２の構成部分が第１の照明器具１の器具本体４の外に露出されることがない。そのため、天井面から非常用の第２の照明器具２の構成部品が突出している場合のように第１の照明器具１の器具本体４の外から第２の照明器具２の構成部品が見えてしまうことがなく、外観が悪くなることを防止することができる。また、照明装置１００の全体の梱包容積をコンパクトにすることができ、輸送費が高くなるという課題を解決できる。
【００３６】
さらに、第２の照明器具２は、器具本体４の反射板４ａの切欠き部分６に装着した状態で、図３に示すように化粧枠４２のＬＥＤバー３側に傾斜板４２ｂを設けた形状としている。これにより、ＬＥＤバー３からの放射光が非常用の第２の照明器具２によって遮られる量を少なくすることができる。そのため、ＬＥＤバー３の配光の遮断を低減することができる。
【００３７】
また、本実施形態では、第２の照明器具２の化粧枠４２は、ＬＥＤ非常灯７の周囲に平板状の天板４２ａを設け、この天板４２ａを天井面と平行に設けている。このように、非常点灯用構成部品の化粧枠４２における光源面が天井面と平行な平面とすることでＬＥＤ非常灯７の配光の遮断が低減される。また、光源面が平面である形状であることで、化粧枠４２の加工が簡易化され、化粧枠４２のコストを抑えることができる。
【００３８】
さらに、本実施形態では、図６に示すように器具本体４からＬＥＤバー３と、化粧枠４２とを取り外した状態で、第２の照明器具２の電池収納部３１が反射板４ａの切欠き部分６に露出される。この状態で、保持金具４１の前面開口部側に蓄電池１３の出し入れ口４３が配置されている。このように、チャンネル部材５ｅの下面の開口部に形成されるＬＥＤバー３の装着部５ｆと対向する位置に第２の照明器具２の蓄電池１３の出し入れ口４３を配置したことにより、装着部５ｆからＬＥＤバー３を外した後の装着部５ｆの大きな空間を利用して図６中に矢印で示した方向で蓄電池１３の出し入れ作業を行うことができる。そのため、蓄電池１３の出し入れ作業を容易に行うことができる。
【００３９】
上記構成の本実施形態の照明装置１００は、共通の器具本体４に常用の第１の照明器具１と、非常用の第２の照明器具２とをＬＥＤバー３の長手方向と直交する方向に横並び状態で隣接配置している。さらに、第１の照明器具１の反射板４ａに切欠き部分６を設け、その切欠き部分６に第２の照明器具２を配置することで標準器具と同じＬＥＤバー３を搭載することができる。これにより、照明装置１００の常用の第１の照明器具１の設計変更が不要となり、従来の課題である新たなＬＥＤバー３のラインナップ分の開発工数が増えるとともに、在庫が増大する等の課題が解決される。
【００４０】
第２の照明器具２は、図９に示すように非常用点灯ユニット１４の上に非常用電源である蓄電池１３を配置し、蓄電池１３の上にＬＥＤ非常灯７を配置している。そのため、第２の照明器具２の全体の大きさの小型化を実現する際に好適な部品配置にすることができる。
【００４１】
第２の照明器具２のユニット基板１７は、図１１に示すように幅狭部分１７ｂと、幅広
部分１７ｃとを含むＴ字状の基板形状を有する。そして、幅広部分１７ｃの一側部に入力側の１次側回路２０ａを配置し、幅広部分１７ｃの他側部に出力側の２次側回路２０ｂを配置している。これにより、１次側回路２０ａと２次側回路２０ｂとをユニット基板１７の上で分けることができる。そして、１次側回路２０ａの配線と、２次側回路２０ｂの配線とはそれぞれ部品が実装されていない場所を通るため、１次側回路２０ａと２次側回路２０ｂとの間の部品干渉や、発熱の影響や、配線を介して予期せぬノイズが発生することを防ぐことが可能である。
【００４２】
第２の照明器具２のユニット基板１７をＴ字形状にすることで、幅狭部分１７ｂの両端の空いた空間に１次側回路２０ａ側の配線２３ａと、２次側回路２０ｂ側の配線２３ｂとが通る構造にしている。さらに、シャーシ１５の底板１５ａと、ユニット樹脂ケース１６の電池受部１６ａとの間に左右一対の配線収容部２２ａ、２２ｂを形成し、配線収容部２２ａには、１次側配線２３ａが収容され、配線収容部２２ｂには、２次側配線２３ｂが収容されている。これにより、シンプルな配線仕様とすることができる。
【００４３】
また、ユニット基板１７には、幅広部分１７ｃの１次側回路２０ａと２次側回路２０ｂとの間にトランス回路２０ｃを配置し、幅狭部分１７ｂには、非常用点灯ユニット１４を制御する制御回路２０ｄを配置している。これにより、高さが高い部品が多い１次側回路２０ａと、２次側回路２０ｂと、トランス回路２０ｃとを幅広部分１７ｃに集中的に配置することができるので、高さが低い部品が多い制御回路２０ｄを配置した幅狭部分１７ｂのみを蓄電池１３と上下方向に重なる位置に配置することができる。そのため、第２の照明器具２の全体の大きさの小型化を実現する際に好適な部品配置にすることができる。
【００４４】
さらに、制御回路２０ｄを他の部品（１次側回路２０ａと、２次側回路２０ｂと、トランス回路２０ｃと）に干渉されないように配置することが可能であるため、自動点検や、リモコン操作による誤動作も防ぐことができる。
【００４５】
また、本実施形態では、第１の照明器具１の一方の傾斜板５ｄの一方の端板５ｂ側の端部に、非常用の第２の照明器具２をＬＥＤバー３の長手方向と直交する方向に横並び状態で隣接配置している例を示したがこれに限定されるものではない。例えば、第１の照明器具１の一方の傾斜板５ｄにおけるＬＥＤバー３の長手方向の中央位置に非常用の第２の照明器具２をＬＥＤバー３の長手方向と直交する方向に横並び状態で隣接配置する構成にしてもよい。この場合は、ＬＥＤバー３の長手方向の中央位置から第２の照明器具２のＬＥＤ非常灯７の照明光を照射できる。そのため、照明装置１００の取付け時に器具本体４を取り付ける方向（向き）を格別に規定する必要がないので、照明装置１００の取付け作業を容易に行うことができる。
【００４６】
上記実施形態によれば、第１の照明器具と前記第２の照明器具とを共通の器具本体に前記常用点灯用光源の長手方向と直交する方向に横並び状態で隣接配置した。さらに、前記第１の照明器具は、前記反射板に切欠き部分を設け、前記切欠き部分に前記第２の照明器具を装着した。これにより、新たな常用点灯用光源のラインナップ分の開発工数が増えるとともに、在庫が増大する等の課題を解決することが期待できる非常灯組み込み形照明器具を提供することができる。
【００４７】
本発明の実施形態を説明したが、この実施形態は、例として提示したものであり、発明の範囲を限定することは意図していない。例えば、第１の照明器具は、常用電源ユニットが常用点灯光源の上面にセットされた電源一体形光源モジュールでもよい。また、収容部の態様は、光源ユニット側に設けられた点灯装置が、光源ユニットが器具本体に取付けられることで収容部内に位置（収容）するように設けられる形態も含む。これら新規な実施形態は、その他の様々な形態で実施されることが可能であり、発明の要旨を逸脱しない範
囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１…第１の照明器具、２…第２の照明器具、３…ＬＥＤバー（常用点灯用光源）、４…器具本体、４ａ…反射板、５…ケース部材、５ａ…端板、５ｂ…端板、５ｃ…傾斜板、５ｄ…傾斜板、５ｅ…チャンネル部材、５ｅ１…底板、５ｅ２…側板、５ｅ３…側板、５ｆ…装着部、６…切欠き部分、７…ＬＥＤ非常灯（非常用光源）、８…非常灯器具本体、９…ＣＯＢ基板、１０…レンズ、１２…レンズ固定金具、１３…蓄電池（非常用電源）、１４…非常用点灯ユニット、１５…シャーシ、１５ａ…底板、１５ｂ…前端板、１５ｂ１…折り曲げ部、１５ｂ２…ねじ穴、１５ｃ…後端板、１５ｃ…側板、１５ｃ１…折り曲げ部、１５ｃ２…ねじ穴、１５ｃ３…角穴、１６…ユニット樹脂ケース、１６ａ…電池受部、１６ａ１…湾曲面、１６ｂ…立設部、１６ｃ…基板保持部、１７…ユニット基板、１７ａ…基板本体、１７ｂ…幅狭部分、１７ｂ１…切欠部、１７ｂ２…切欠部、１７ｃ…幅広部分、１８…サブ基板、１９…電池収納用板金部品、２０ａ…次側回路、２０ｂ…次側回路、２０ｃ…トランス回路、２０ｄ…制御回路、２１ａ…第１コネクタ、２１ｂ…第２コネクタ、２２ａ…配線収容部、２２ｂ…配線収容部、２３ａ…１次側配線、２３ｂ…２次側配線、２５…ガイド片、３１…電池収納部、４１…保持金具、４１ａ…底板、４１ｂ…側板、４１ｂ１…切欠部、４１ｂ３…折曲部、４１ｃ…側板、４１ｃ１…切欠部、４１ｃ３…折曲部、４１ｄ…背面板、４１ｄ１…折曲部、４１ｄ２…角穴、４１ｅ…背面板、４１ｅ１…折曲部、４１ｅ２…角穴、４１ｆ…舌片、４２…化粧枠（カバー部材）、４２ａ…天板、４２ａ１…円孔、４２ａ２…長孔、４２ｂ…傾斜板、４２ｂ１…舌片、４２ｃ１…係合凸部、４２ｃ２…係合凸部、４３…出し入れ口、４４…補強部材、４４ａ…長板部材、４４ｂ…屈曲部材、４４ｃ…屈曲部材、１００…非常灯組み込み形照明器具。
【図１】
2020074345.tif 000003
【図２】
2020074345.tif 000004
【図３】
2020074345.tif 000005
【図４】
2020074345.tif 000006
【図５】
2020074345.tif 000007
【図６】
2020074345.tif 000008
【図７】
2020074345.tif 000009
【図８】
2020074345.tif 000010
【図９】
2020074345.tif 000011
【図１０】
2020074345.tif 000012
【図１１】
2020074345.tif 000013